(57)【要約】【課題】  均一でない取り付けねじのねじ込み等に起因して扉面に歪みが生じても、操作軸の作動の円滑性を保持できる抉り防止機構を提供する。【解決手段】  内側及び／又は外側エスカチオン４、２の扉面に対向する面に少なくとも１本の連結軸１１を埴設し、一方、これらの連結軸１１と対向する錠箱８の側板の部分に対応する連結軸としっくり嵌合する連結孔１２を開口させ、内外エスカチオンを取り付けねじ７により扉面に装着するとき、前以て上記連結軸１１と連結孔１２とを嵌合させてから取り付けねじ７を締め込む。【選択図】  図２
2011162948.tif 000002
【特許請求の範囲】
【請求項１】
室外側のエスカチオンを、内側エスカチオンを貫通する取り付けねじにより室内側から呼び付けるように扉に固定すると共に、内外エスカチオンの間の錠箱を貫通する操作軸を内外のハンドルやノブ等の外部操作部材に連結したものにおいて、内側及び／又は外側エスカチオンの扉面に対向する面に少なくとも１本の連結軸を埴設し、一方、これらの連結軸と対向する錠箱の側板の部分に対応する連結軸としっくり嵌合する連結孔を開口させ、内外エスカチオンを取りつけねじにより扉面に装着するとき、前以て上記連結軸と連結孔とを嵌合させてから取り付けねじを締め込むようにしたことを特徴とする錠箱の操作軸の抉り防止機構。
【請求項２】
室外側のエスカチオンを、内側エスカチオンを貫通する取り付けねじにより室内側から呼び付けるように扉に固定すると共に、内外エスカチオンの間の錠箱を貫通する操作軸を内外のハンドルやノブ等の外部操作部材に連結したものにおいて、上記操作軸の、錠箱の側板の貫通孔と交差する部分を少なくとも側板の厚さ以上にわたって細くしたことを特徴とする錠箱の操作軸の抉り防止機構。
【発明の詳細な説明】
【技術分野】
【０００１】
この発明は、錠箱の操作軸の抉り防止機構（以下単に抉り防止機構という）に係り、特に、室外側のエスカチオン或いは座板を室内側から取り付けねじにより呼び付けるように扉に固定するものにおいて、均一でない取り付けねじのねじ込みなどに起因して扉面に歪みが生じても、操作軸の作動の円滑性を保持できる抉り防止機構に関する。
【背景技術】
【０００２】
錠前と総称される所謂ロック装置は、下記特許文献１の図１に示すように、例えばシリンダ錠１を担持した外側エスカチオン或いは外側座板（以下単に外側エスカチオンという）２と、サムターン３を担持した内側エスカチオン４とで扉５を挟み付けるようして扉の自由側端縁部に装着される。
【０００３】
そのため、外側エスカチオン２の室内側の面の通常４隅部に、内側に雌ねじを形成した支持筒６、６を埴設し、これら支持筒６、６と内側エスカチオン４を貫通して各支持筒６の雌ねじ部に螺合する取り付ねじ７、７を締め込むことにより、外側エスカチオン２を扉外面に呼び付けるようにして装着（固着）する。
【先行技術文献】
【特許文献】
【０００４】
【特許文献１】特開２００６−０２３５４１
【発明の概要】
【発明が解決しようとする課題】
【０００５】
ところで、通常扉は２枚の薄いアルミ板を一定の間隔を厚さ方向に保たせて構成した枠体であるから、取り付けねじ７を締め込むことにより、エスカチオンが扉の内外面に沈み込む態様となり、エスカチオン付近が凹になるように弾性変形し或いは歪む。
【０００６】
この扉面の歪により、扉の自由側端縁に装着された錠箱８（図２参照）に対し、例えば図３に示す外側ハンドル９の内端部が、図３では図示を省略する錠箱８（図２参照）の側板を斜交して貫通することになる（図示せず）。
【０００７】
通常外側ハンドル９の内端部は異形断面（図示の実施例では正六角形）であるが、錠箱の側面の開口はその異形断面に僅かな隙間を保って外接する円形であるから、上記錠箱の側板と斜交する外側ハンドルは錠箱の側板の開口と抉ることになる。
【０００８】
そこで、この発明は、均一でない取り付けねじのねじ込み等に起因して扉面に歪みが生じても、操作軸の作動の円滑性を保持できる抉り防止機構を提供することを目的としている。
【課題を解決するための手段】
【０００９】
上記の目的を達成するため、請求項１に記載の発明は、室外側のエスカチオンを、内側エスカチオンを貫通する取り付けねじにより室内側から呼び付けるように扉に固定すると共に、内外エスカチオンの間の錠箱を貫通する操作軸を内外のハンドルやノブ等の外部操作部材に連結したものにおいて、内側及び／又は外側エスカチオンの扉面に対向する面に少なくとも１本の連結軸を埴設し、一方、これらの連結軸と対向する錠箱の側板の部分に対応する連結軸としっくり嵌合する連結孔を開口させ、内外エスカチオンを取りつけねじにより扉面に装着するとき、前以て上記連結軸と連結孔とを嵌合させてから取り付けねじを締め込むようにしたことを特徴とする。
【００１０】
また、請求項２に記載の発明は、室外側のエスカチオンを、内側エスカチオンを貫通する取り付けねじにより室内側から呼び付けるように扉に固定すると共に、内外エスカチオンの間の錠箱を貫通する操作軸を内外のハンドルやノブ等の外部操作部材に連結したものにおいて、上記操作軸の、錠箱の側板の貫通孔と交差する部分を少なくとも側板の厚さ以上にわたって細くしたことを特徴とする。
【発明の効果】
【００１１】
上記のように構成された請求項１に記載の発明による抉り防止機構は、図２に示すように連結軸１１を錠箱８の連結孔に予め嵌合させた状態で取り付けねじ７（図１参照）を締め込んでいくと、図２の鎖線１３で示すように扉面が歪む。
【００１２】
その結果、例えば、内外エスカチオンの連結軸１１、１１の自由端が相互に近接する方向に傾く。
【００１３】
ところが、これら一対の連結軸１１、１１は錠箱の同じ側板に拘束されているので、側板が連結軸１１、１１の近接を阻止しようとする力が、反力として取り付けねじに作用する。
【００１４】
その結果、取り付けねじから見て扉面の剛性が増大し、取り付けねじの過大な締め付けが阻止され、扉面の歪が小さくなるので、操作軸の抉りが防止される。
【００１５】
また、請求項２に記載の発明においては、図２に示すように、操作軸１４の、錠箱８の側板の貫通孔１５と交差する部分を少なくとも側板の厚さ以上にわたって細くしてあるので、操作軸１４と貫通孔１５とが抉る余地がなく、当然操作軸１４の抉りが有効に防止される。
【図面の簡単な説明】
【００１６】
【図１】エスカチオンの扉面に対する装着の態様を示す一部断面側面図。
【図２】本願発明による抉り防止機構の水平な面による断面図。
【図３】従来の操作軸の装着の一例を示す断面図。
【発明を実施するための形態】
【００１７】
請求項１に記載の発明は、内側及び／又は外側エスカチオンの扉面に対向する面に少なくとも１本の連結軸を埴設し、一方、これらの連結軸と対向する錠箱の側板の部分に対応する連結軸としっくり嵌合する連結孔を開口させ、内外エスカチオンを取りつけねじにより扉面に装着するとき、前以て上記連結軸と連結孔とを嵌合させてから取り付けねじを締め込むようにし、また、請求項２に記載の発明は、操作軸の、錠箱の側板の貫通孔と交差する部分を少なくとも側板の厚さ以上にわたって細くする、という簡単な構成で、取り付けねじの締め過ぎ、および扉面の歪に起因する操作軸の抉りを有効に防止できた。
【実施例１】
【００１８】
図２において符号１１は連結軸を示し、この連結軸１１は、内側及び／又は外側エスカチオン４、２（図示の実施例では内側及び外側エスカチオン）の扉面に対向する面に一体的に埴設されている。
【００１９】
図示の実施例では、内側及び外側エスカチオン４、２の扉面に接合される基板にかしめにより埴設されている。
【００２０】
一方、扉内に収納された錠箱８の側板の、上記連結軸１１に対向する部分には、この連結軸１１としっくり嵌合する連結孔１２が開口している。
【００２１】
そして、エスカチオン２、４を扉に装着するとき、先に錠箱８を扉内空間に収納した後、エスカチオン２、４を扉面に接合し、この際連結軸１１を対応する錠箱の連結孔１２に嵌合させた後、取り付けねじを締め込むのは前記した通りである。
【００２２】
なお、通常、エスカチオン２、４は縦長の形状なので、エスカチオンが扉面に与える歪みは縦方向よりも水平方向の方が大きい。
【００２３】
したがって、上記連結軸１１、１１は水平方向に列設するのが望ましい。
【実施例２】
【００２４】
図２において符号１４は操作軸を示し、この操作軸１４の錠箱側板と交差する部分が少なくとも側板の厚さ以上にわたって細くなっている。
【００２５】
したがって、この操作軸１４の細くなった部分と、操作軸が貫通する側板の貫通孔１５との間に抉りが生じることは皆無となっている。
【００２６】
なお、操作軸１４の細くなった部分２ヶ所の間の異形断面部は、錠箱８内の作動カム１６に連結されており、この作動カム１６は錠箱のデッドボルト又はラッチボルトを駆動するものであることは従来のボルト操作機構と同様である。
【符号の説明】
【００２７】
１  シリンダ錠
２  外側エスカチオン
３  サムターン
４  内側エスカチオン
５  扉
６  支持筒
７  取り付けねじ
８  錠箱
９  外側ハンドル
１１  連結軸
１２  連結孔
１３  鎖線
１４  操作軸
１５  貫通孔
１６  作動カム
【図１】
2011162948.tif 000003
【図２】
2011162948.tif 000004
【図３】
2011162948.tif 000005